(57)【要約】【課題】小径端側の底拡げを行わずに円すいころを小径端側に一体の小つばを備えた内輪の外周に組み込むことができ、そのために、円すいころ組み込み後の保持器の加締めによる縮径も不要になる円すいころ軸受を提供する。【解決手段】内輪２と、外輪３と、複数個の円すいころ４と、円すいころ４の各々をポケット８に受け入れて保持する鉄板製の保持器５とを備える円すいころ軸受を、保持器５が、ポケット８の小径端側の端面８ａと大径端側の端面８ｂに、円すいころ４の小径端側の端面と大径端側の端面の中心の凹部４ａ、４ｂに挿入される凸部１０、１１を有し、少なくとも凸部１０は、保持器のリム部６に設けた薄肉部を保持器の側面視においてＵ字状に曲げ加工して作られて弾性変形可能であり、その凸部１０が弾性変形により前記円すいころ４の端面の凹部４ａから抜け出し可能となったものにした。【選択図】図１
2020159493.tif 000002
【特許請求の範囲】
【請求項１】
円すい形軌道面（２ａ）を外周に有し、さらに前記円すい形軌道面（２ａ）の小径端側に一体の小つば（２ｂ）を、大径端側に大つば（２ｃ）をそれぞれ有する内輪（２）と、
円すい形軌道面（３ａ）を内周に有する外輪（３）と、
前記内輪（２）と外輪（３）の円すい形軌道面（２ａ、３ａ）間に介在される複数個の円すいころ（４）と、その円すいころ（４）の各々を、円周方向に所定の間隔を保って設けられたポケット（８）に受け入れて保持する鉄板製の保持器（５）とを備える円すいころ軸受であって、
前記保持器（５）が、各ポケット（８）の保持器小径端側の端面と保持器大径端側の端面に、前記円すいころ（４）の小径端側の端面と大径端側の端面の中心の凹部（４ａ、４ｂ）に挿入される凸部（１０、１１）を対向して有し、
前記ポケット（８）の少なくとも保持器小径端側の端面に設けられた前記凸部（１０）は、前記保持器（５）の小径端側のリム部（６）に設けた薄肉部を保持器の側面視においてＵ字状に曲げ加工して作られて弾性変形可能であり、その凸部（１０）が弾性変形により前記円すいころ（４）端面の凹部（４ａ）から抜け出し可能となっている円すいころ軸受。
【請求項２】
前記ポケット（８）の保持器小径端側の端面（８ａ）に設けられた前記凸部（１０）と前記ポケット（８）の保持器大径端側の端面（８ｂ）に設けられた前記凸部（１１）の両方が、前記リム部（６，７）に設けた薄肉部を保持器の側面視においてＵ字状に曲げ加工して作られていて弾性変形可能となっている請求項１に記載の円すいころ軸受。
【発明の詳細な説明】
【技術分野】
【０００１】
この発明は、内輪と外輪間に円すいころを組み込み、その円すいころを保持器によって保持した円すいころ軸受に関する。
【背景技術】
【０００２】
外輪の内周に形成された円すい形軌道面と内輪の外周に形成された円すい形軌道面間に複数の円すいころを組込み、その複数の円すいころを保持器で保持した円すいころ軸受においては、内輪の円すい形軌道面の大径端側に大つばを、小径端側に小つばをそれぞれ設け、上記大つばによってスラスト荷重を受け、小つばによって円すいころの脱落を防止している。
【０００３】
その円すいころ軸受の従来品は、内輪に対して小つばが一体に設けられているため、保持器で保持された円すいころを内輪の外側に組付ける円すいころ軸受の組立て時に円すいころが小つばに干渉し、そのままでは内輪の外周に対する円すいころの組み付けができない。
【０００４】
そこで、鉄板製の保持器については、小径端側を拡径する、所謂、底拡げを行って円すいころの小径端側の保持を一時的に解き、こうすることで大径端側が保持器に保持された円すいころを小つばに干渉させずに通過させて内輪の外側に組付け、その後、治具を用いて保持器の底拡げされた部分を加締め加工で縮径させて元の状態に戻す方法が従来は採られていた。
【０００５】
また、下記特許文献１に示されるように、樹脂製の保持器については、円周方向の数箇所に弾性変形部を設け、その弾性変形部を弾性変形させることで拡径・縮径を可能にする提案がなされている。
【先行技術文献】
【特許文献】
【０００６】
【特許文献１】特開２０１６−２９２８５号公報
【発明の概要】
【発明が解決しようとする課題】
【０００７】
樹脂製の保持器については、前記特許文献１が提案しているような構造を採用することで塑性変形を生じさせずに小径端側の底拡げを行って円すいころを内輪の外周に組み付けることができる。
【０００８】
しかしながら、従来の鉄板製の保持器は、小径端側の底拡げを行うと小径端側が塑性変形を起こす。その塑性変形した小径端側を内輪の外周への円すいころの挿入後に再度塑性変形させて元の状態に戻す従来の組立て法によると、底拡げや加締めによる縮径の際に保持器の形状が崩れて寸法精度や強度が低下し、その精度低下により、軸受回転時に円すいころにスキューが生じて、保持器に大きな負荷がかかり、保持器の耐久性が悪化するなどの懸念があった。
【０００９】
この発明は、保持器の小径端側の底拡げを行わずに、円すいころを小径端側に一体の小つばを備えた内輪の外周に組み込むことができ、そのために、円すいころ組み込み後の保持器の加締めによる縮径も不要になる円すいころ軸受を提供することを目的としている。
【課題を解決するための手段】
【００１０】
上記の課題を解決するため、この発明においては、
円すい形軌道面を外周に有し、さらに、前記円すい形軌道面の小径端側に一体の小つばを、大径端側に大つばをそれぞれ有する内輪と、
円すい形軌道面を内周に有する外輪と、
前記内輪と外輪の円すい形軌道面間に介在される複数個の円すいころと、その円すいころの各々を、円周方向に所定の間隔を保って設けられたポケットに受け入れて保持する鉄板製の保持器とを備える円すいころ軸受であって、
前記保持器が、各ポケットの保持器小径端側の端面と保持器大径端側の端面に、前記円すいころの小径端側の端面と大径端側の端面の中心の凹部に挿入される対向配置された凸部を有し、
前記ポケットの少なくとも保持器小径端側の端面に設けられた前記凸部は、保持器の小径端側のリム部に設けた薄肉部を保持器の側面視においてＵ字状に曲げ加工して作られて弾性変形可能であり、その凸部が弾性変形により前記円すいころの端面の凹部から抜け出し可能となっている円すいころ軸受を提供する。
【００１１】
前記ポケットの保持器小径端側の端面に設けられた前記凸部と、前記ポケットの保持器大径端側の端面に設けられた前記凸部は、その両方が保持器のリム部に設けた薄肉部を保持器の側面視においてＵ字状に曲げ加工して作られていて弾性変形による円周方向への伸縮が可能なものになっていてもよい。
【発明の効果】
【００１２】
この発明の円すいころ軸受は、保持器のポケットの少なくとも保持器小径端側の端面に設けられた凸部が弾性変形することによって凸部の形成されたリム部が円周方向へ伸縮する。
【００１３】
そのリム部の伸縮により、凸部の突出量が増減し、凸部の突出量が小さくなったときに円すいころの小径端側が保持器から外れる。これにより、小径端側が保持器から外れた円すいころを内輪の小径端側の小つばに干渉させずに内輪の外周に組み込むことができる。その組み込み後に円周方向に引き伸ばしているリム部を弾性復元させると、凸部が元の状態に戻って円すいころの小径端側の凹部に入り込み、内輪に対する円すいころの組み付けが完了する。
【００１４】
このように、凸部を弾性変形させることで保持器を塑性変形させずにその保持器の少なくとも小径端側を拡径・縮径させることができ、保持器を塑性変形させる方法で問題となる保持器の形状の崩れ、寸法精度や強度の低下、精度低下に起因した軸受回転時の保持器の負荷の増大などが起こらない。
【００１５】
また、凸部が円すいころの端面の凹部に入り込むため、保持器で円すいころを安定して保持することができる。
【図面の簡単な説明】
【００１６】
【図１】この発明の円すいころ軸受の一例の要部を示す断面図である。
【図２】図１の円すいころ軸受に採用する保持器の一例を示す斜視図である。
【図３】図２の保持器の一部を図２の矢視Ａ方向に見て示す拡大端面図である。
【図４】図３のＸ−Ｘ線に沿った断面図である。
【図５】図１の円すいころ軸受に採用する保持器の他の例を示す斜視図である。
【図６】図５の保持器の一部を図５の矢視Ｂ方向に見て示す拡大端面図である。
【図７】図６のＹ−Ｙ線に沿った断面図である。
【発明を実施するための形態】
【００１７】
以下、添付図面の図１〜図７に基づいて、この発明の円すいころ軸受の実施の形態を説明する。
【００１８】
この発明の円すいころ軸受の一例の要部を図１に示す。例示の円すいころ軸受１は、内輪２、外輪３、複数個の円すいころ４及び円すいころ４の各々を保持する保持器５とで構成されている。
【００１９】
内輪２は、円すい形軌道面２ａを外周に有している。また、円すい形軌道面２ａの小径端側に一体の小つば２ｂを、大径端側に大つば２ｃをそれぞれ有している。
【００２０】
外輪３は、円すい形軌道面２ａに対応させた円すい形軌道面３ａを内周に有している。
【００２１】
円すいころ４は、内輪２の外周の円すい形軌道面２ａと外輪３の内周の円すい形軌道面３ａ間に介在されている。
【００２２】
この円すいころ４は、保持器５に組み込まれて保持器５によって保持される。この円すいころ４は、小径端側の端面と大径端側の端面に後述する凸部が入り込む凹部４ａ、４ｂを有している。凹部４ａ、４ｂは、どちらも、端面の中心と同心円の端面視円形の凹部となっている。
【００２３】
保持器５は、鉄板製であり、一端側が小径、他端側が大径となっている。その保持器５の詳細を図２〜図７に示す。図２〜図４は、保持器５の第１の形態、図５〜図７は、保持器５の第２の形態である。
【００２４】
図２〜図４に示した第１の形態の保持器５は、小径端側のリム部６と、大径端側のリム部７と、円周方向に所定の間隔を保ってリム部６、７間に形成されたポケット８と、隣り合うポケットの各々を区画する柱部９を有している。
【００２５】
また、各ポケット８の保持器小径端側の端面８ａに形成された凸部１０と、この凸部１０に対向させて各ポケット８の保持器大径端側の端面８ｂに形成された凸部１１を有している。
【００２６】
柱部９は、一端がリム部６に、他端がリム部７にそれぞれ繋がっていてブリッジの役目を果たしており、その柱部９によるリム部６、７の連結によって保持器５の全体が一体化されている。
【００２７】
凸部１０は、ポケット８の対向した側面８ｃ、８ｄ間において、リム部６の円周方向中間部に薄肉部を形成し、その薄肉部を保持器５の側面視においてＵ字状をなすように曲げ加工して作られている。
【００２８】
凸部１１も同様であり、ポケット８の対向した側面８ｃ、８ｄ間において、リム部７の円周方向中間部に薄肉部を形成し、その薄肉部を保持器５の側面視において、凸部１０とは反対向きに屈曲したＵ字状をなすように曲げ加工して作られている。
【００２９】
その薄肉部をＵ字状に曲げ加工して作られた凸部１０、１１は、曲げた部分（両凸部の突端）を弾性変形させて曲げを戻し、さらに、元の曲げ状態に弾性復元させることができる。
【００３０】
凸部１０の弾性変形によりポケット８の対向した側面８ｃ、８ｄ間においてリム部６が円周方向に伸縮し、リム部６が伸びたときに凸部１０の突出量が減少して凸部１０が円すいころ４の一端の凹部４ａから抜けだし、円すいころ４の小径端側が保持器５から外れる。
【００３１】
これにより、円すいころ４を内輪２の小つば２ｂに干渉させずに内輪２の円すい形軌道面２ａに組み込むことが可能になる。
【００３２】
弾性変形して曲げが戻るように引き伸ばされた凸部１０は、引き伸ばしの力が加わらなくなると弾性復元して元の曲げ状態に戻り、その弾性復元により凸部１０が内輪２の外周の円すい形軌道面２ａに組み込まれた円すいころ４の小径端側の凹部４ａに再び入り込んで内輪２の外周に対する円すいころ４の組み付けが完了する。
【００３３】
そこで、円すいころ４が組み込まれた内輪２の外側に外輪３を外嵌して円すいころ軸受１の組み立てを完了する。
【００３４】
なお、ポケット８の保持器大径端側の端面８ｂに形成される凸部１１は、図４〜図７に示すようなもの、即ち、端面８ｂの一部を膨らませて突出させた凸部であってもよい。
【００３５】
図５〜図７に示した第２の形態の保持器５は、ポケット８の保持器小径端側の端面８ａに形成される凸部１０が、図２の保持器５と同様に、ポケット８の対向した側面８ｃ、８ｄ間において、リム部６の周方向中間部に薄肉部を形成し、その薄肉部を保持器５の側面視においてＵ字状をなすように曲げ加工して作られている。
【００３６】
ポケット８の保持器大径端側の端面８ｂに形成された凸部１１は、リム部７と一体に金型成形され曲げ加工部が存在しない、曲げ伸ばしのできないもの（弾性変形しないもの）になっている。
【００３７】
このように、ポケット８の保持器大径端側の端面８ｂの凸部１１は弾性変形不可となっている図５の保持器５を採用した円すいころ軸受でもこの発明の目的は達成されるが、凸部１０、１１の双方が弾性変形可能となっているものが、内輪２の外周に対する円すいころ４の組み付けがし易く、円すいころ４の端面の凹部に対する凸部の挿入量も大きく設定できて好ましい。
【００３８】
図５の形態の保持器は、リム部７の円周方向への伸びが許容されないため、凸部１０の弾性変形によるリム部６の円周方向への伸び量を大きく設定するのが難しい。
【００３９】
これに対し、図２の形態の保持器は、凸部１１が弾性変形することでリム部７も円周方向に伸びることができ、これにより、凸部１０の弾性変形によるリム部６の円周方向への
伸びの規制が緩和される。そのために、凸部１０、１１の突出量を図５の形態の保持器よりも大きく設定することが可能である。
【符号の説明】
【００４０】
１          円すいころ軸受
２          内輪
２ａ        円すい形軌道面
２ｂ        小つば
２ｃ        大つば
３          外輪
３ａ        円すい形軌道面
４          円すいころ
４ａ、４ｂ  凹部
５          保持器
６          保持器小径端側のリム部
７          保持器大径端側のリム部
８          ポケット
８ａ        ポケットの保持器小径端側の端面
８ｂ        ポケットの保持器大径端側の端面
８ｃ、８ｄ  側面
９          柱部
１０、１１  凸部
【図１】
2020159493.tif 000003
【図２】
2020159493.tif 000004
【図３】
2020159493.tif 000005
【図４】
2020159493.tif 000006
【図５】
2020159493.tif 000007
【図６】
2020159493.tif 000008
【図７】
2020159493.tif 000009